【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
身体特定化情報を取得する身体特定化情報取得手段と、
呼吸機能情報を取得する呼吸機能情報取得手段と、
前記身体特定化情報取得手段により取得した身体特定化情報及び前記呼吸機能情報取得手段により取得した呼吸機能情報を基にして内臓脂肪蓄積情報を演算する内臓脂肪蓄積情報演算手段と、
を備える内臓脂肪蓄積情報推定装置。
【請求項２】
前記呼吸機能情報取得手段が、最大吸気時と最大呼気時とにおける息量を測定する息量測定手段と、前記息量測定手段により測定した最大吸気時と最大呼気時とにおける息量を基にして呼吸機能情報を演算する肺活量演算手段とから成ることを特徴とする請求項１記載の内臓脂肪蓄積情報推定装置。
【請求項３】
前記呼吸機能情報取得手段が、最大吸気時と最大呼気時とにおける体幹インピーダンスの変動量を測定する最大呼吸時体幹インピーダンス変動量測定手段と、前記最大呼吸時体幹インピーダンス変動量測定手段により測定した最大吸気時と最大呼気時とにおける体幹インピーダンスの変動量を基にして呼吸機能情報を演算する肺活量演算手段とから成ることを特徴とする請求項１記載の内臓脂肪蓄積情報推定装置。
【請求項４】
体組成情報を取得する体組成情報取得手段を更に備え、前記内臓脂肪蓄積情報演算手段が、前記体組成情報取得手段により取得した体組成情報も基に加えて前記内臓脂肪蓄積情報を演算することを特徴とする請求項１乃至３のいずれか一項に記載の内臓脂肪蓄積情報推定装置。
【請求項５】
前記体組成情報取得手段が、両掌間インピーダンスを測定する両掌間インピーダンス測定手段と、前記両掌間インピーダンス測定手段により測定した両掌間インピーダンスを基にして体組成情報を演算する体組成情報演算手段とから成ることを特徴とする請求項４記載の内臓脂肪蓄積情報推定装置。
【請求項６】
前記体組成情報取得手段が、四肢インピーダンスを測定する四肢インピーダンス測定手段と、体幹インピーダンスを測定する体幹インピーダンス測定手段と、前記四肢インピーダンス測定手段により測定した四肢インピーダンス及び前記体幹インピーダンス測定手段により測定した体幹インピーダンスを基にして体組成情報を演算する体組成情報演算手段とから成ることを特徴とする請求項４記載の内臓脂肪蓄積情報推定装置。
【請求項７】
前記身体特定化情報が、性別、年齢、身長及び体重であり、呼吸機能情報が、肺活量であることを特徴とする請求項１乃至３のいずれか一項に記載の内臓脂肪蓄積情報推定装置。
【請求項８】
前記身体特定化情報が、性別、年齢、身長及び体重と、上肢部長、下肢部長、体幹中部長及び腹部周囲長のうちの少なくともいずれかとであり、呼吸機能情報が、肺活量であることを特徴とする請求項１乃至３のいずれか一項に記載の内臓脂肪蓄積情報推定装置。
【請求項９】
前記身体特定化情報が、性別、年齢、身長及び体重であり、呼吸機能情報が、肺活量であり、体組成情報が、体幹骨格筋率であることを特徴とする請求項４乃至６のいずれか一項に記載の内臓脂肪蓄積情報推定装置。
【請求項１０】
前記身体特定化情報が、性別、年齢、身長及び体重と、上肢部長、下肢部長、体幹中部長及び腹部周囲長のうちの少なくともいずれかとであり、呼吸機能情報が、肺活量であり、体組成情報が、体幹骨格筋率であることを特徴とする請求項４乃至６のいずれか一項に記載の内臓脂肪蓄積情報推定装置。
【請求項１１】
前記内臓脂肪蓄積情報が、内臓脂肪率、内臓脂肪量及び内臓脂肪／皮下脂肪比のうちの少なくともいずれかであることを特徴とする請求項７乃至１０のいずれか一項に記載の内臓脂肪蓄積情報推定装置。
【手続補正２】
【補正対象書類名】明細書
【補正対象項目名】００１８
【補正方法】変更
【補正の内容】
【００１８】
また、身体特定化情報が、性別、年齢、身長及び体重と、上肢部長、下肢部長、体幹中部長及び腹部周囲長のうちの少なくともいずれかとであり、呼吸機能情報が、肺活量であり、体組成情報が、体幹骨格筋率であることを特徴とする。
また、前記内臓脂肪蓄積情報が、内臓脂肪率、内臓脂肪量及び内臓脂肪／皮下脂肪比のうちの少なくともいずれかであることを特徴とする。
【手続補正３】
【補正対象書類名】明細書
【補正対象項目名】００３０
【補正方法】変更
【補正の内容】
【００３０】
内臓脂肪蓄積情報演算手段４は、身体特定化情報取得手段１により取得した身体特定化情報、呼吸機能情報取得手段２により取得した呼吸機能情報及び体組成情報取得手段３により取得した体組成情報を基にして内臓脂肪蓄積情報を演算する。ここで内臓脂肪蓄積情報とは、身体に蓄積する内臓脂肪に関する指標であり、例えば、内臓脂肪率（％ＶＦａｔ）、内臓脂肪量（ＦＶ）、内臓脂肪／皮下脂肪比（Ｖ／Ｓ）などを示す。なお、内臓脂肪率、内臓脂肪量、内臓脂肪／皮下脂肪比については、特に、身体に蓄積する内臓脂肪を直感させる指標である。
【手続補正４】
【補正対象書類名】明細書
【補正対象項目名】００５５
【補正方法】変更
【補正の内容】
【００５５】
続いて、息量測定手段において息量の測定が可能な状態となるとともに、表示部５５及び音声部５６において、予めＲＯＭに記憶している呼吸誘導情報（公知のスパイロ検査のしかたと同様であって、「手順１：鼻をクリップでつまみ、マウスピース６１をくわえてください。」→「手順２：数回普通に呼吸をしてください。」→「手順３：音の発生のタイミングに合わせて最大限にすえるだけたくさんの息を吸い込んでください。」→「手順４：音の発生のタイミングに合わせてできるだけ速いスピードで吸った息を吐ききってください。」の表示、及び、手順段階毎に"ビッ"の音）を出力する。ここで、被測定者により測定動作が行われると息量測定手段において息量を測定する（図８のスパイログラム図に示すようにスパイログラム（呼吸曲線）Ｚをサンプリングする。ここで、Ｗ１は上記の手順２の際にサンプリングした区間、Ｗ２は上記の手順３の際にサンプリングした区間、Ｗ３は上記の手順４の際にサンプリングした区間を示す。）（ステップＡ２）。
【手続補正５】
【補正対象書類名】明細書
【補正対象項目名】００９０
【補正方法】変更
【補正の内容】
【００９０】
なお、操作部１０３、記憶部１０４、マイクロコンピュータ１０１及び電力供給部１０２にて身体特定化情報取得手段を構成する。また、マウスピース１１１、呼吸センサー１１２、増幅器１１３、Ａ／Ｄ変換器１１４、記憶部１０４、マイクロコンピュータ１０１及び電力供給部１０２にて息量測定手段を構成する。更に、通電用電極１２１（１２１ａ、１２１ｂ）、測定用電極１２４（１２４ａ、１２４ｂ）、差動増幅器１２６、帯域通過フィルター１２７、電流供給器１２３、増幅器１２８、Ａ／Ｄ変換器１２９、記憶部１０４、マイクロコンピュータ１０１及び電力供給部１０２にて両掌間インピーダンス測定手段を構成する。更に、記憶部１０４、マイクロコンピュータ１０１及び電力供給部１０２にて体組成情報演算手段、肺活量演算手段及び内臓脂肪蓄積情報演算手段を構成する。
【手続補正６】
【補正対象書類名】明細書
【補正対象項目名】００９６
【補正方法】変更
【補正の内容】
【００９６】
続いて、息量測定手段において息量の測定が可能な状態となるとともに、表示部１０５及び音声部１０６において、予めＲＯＭに記憶している呼吸誘導情報（公知のスパイロ検査のしかたと同様であって、「手順１：鼻をクリップでつまみ、マウスピース１１１をくわえてください。」→「手順２：数回普通に呼吸をしてください。」→「手順３：音の発生のタイミングに合わせて最大限にすえるだけたくさんの息を吸い込んでください。」→「手順４：音の発生のタイミングに合わせてできるだけ速いスピードで吸った息を吐ききってください。」の表示、及び、手順段階毎に"ビッ"の音）を出力する。ここで、被測定者により測定動作が行われると息量測定手段において息量を測定する（図８のスパイログラム図に示すようにスパイログラム（呼吸曲線）Ｚをサンプリングする。ここで、Ｗ１は上記の手順２の際にサンプリングした区間、Ｗ２は上記の手順３の際にサンプリングした区間、Ｗ３は上記の手順４の際にサンプリングした区間を示す。）（ステップＣ５）。
【手続補正７】
【補正対象書類名】明細書
【補正対象項目名】００９９
【補正方法】変更
【補正の内容】
【００９９】
一方、測定が正常に行われた場合には（ステップＣ６でＹＥＳ）、実施例１で詳述したステップＡ５のサブルーチン（呼吸機能情報の演算・記憶）と同様に、マイクロコンピュータ１０１において、呼吸機能情報（努力肺活量、標準肺活量、％肺活量、一秒量、一秒率）を演算し、記憶部１０４において、この演算した呼吸機能情報を記憶する（ステップＣ８）。
【手続補正８】
【補正対象書類名】明細書
【補正対象項目名】０１２２
【補正方法】変更
【補正の内容】
【０１２２】
実施例３としての内臓脂肪蓄積情報推定装置は、電力供給部１５２、操作部１５３（１５３ａ、１５３ｂ）、マウスピース１６１、呼吸センサー１６２、通電用電極１７１（１７１ａ、１７１ｂ）、測定用電極１７４（１７４ａ、１７４ｂ）、切替器１７２、１７５、差動増幅器１７６、帯域通過フィルター（ＢＰＦ：Band Pass Filter）１７７、電流供給器１７３、増幅器１６３、１７８、１８２、Ａ／Ｄ変換器１６４、１７９、１８３、記憶部１５４、表示部１５５、音声部１５６及びマイクロコンピュータ１５１を筐体１９１に、また、通電用電極１７１（１７１ｃ、１７１ｄ）、測定用電極１７４（１７４ｃ、１７４ｄ）及び重量センサー１８１を台体（基台１９２ａ及び載せ台１９２ｂ）１９２に備え、筐体１９１と台体１９２との間を接続コード１９３によって接続する。より具体的には、表示部１５５及び操作部１５３は、筐体１９１の上面に配設し、通電用電極１７１ｂ及び測定用電極１７４ｂは、筐体１９１の左側端部に配設し、通電用電極１７１ａ及び測定用電極１７４ａは、筐体１９１の右側端部に配設し、マウスピース１６１は、筐体１９１の正面に配設し、通電用電極１７１ｃ、１７１ｄ及び測定用電極１７４ｃ、１７４ｄは、載せ台の外面に配設し、重量センサー１８１は、台体１９２の内部に配設し、その他の構成各部は、筐体１９１の内部に配設する。
【手続補正９】
【補正対象書類名】明細書
【補正対象項目名】０１３８
【補正方法】変更
【補正の内容】
【０１３８】
なお、操作部１５３、重量センサー１８１、増幅器１８２、Ａ／Ｄ変換器１８３、記憶部１５４、マイクロコンピュータ１５１及び電力供給部１５２にて身体特定化情報取得手段を構成する。また、マウスピース１６１、呼吸センサー１６２、増幅器１６３、Ａ／Ｄ変換器１６４、記憶部１５４、マイクロコンピュータ１５１及び電力供給部１５２にて息量測定手段を構成する。更に、通電用電極１７１、測定用電極１７４、切替器１７５、差動増幅器１７６、帯域通過フィルター１７７、電流供給器１７３、増幅器１７８、Ａ／Ｄ変換器１７９、記憶部１５４、マイクロコンピュータ１５１及び電力供給部１５２にて四肢インピーダンス測定手段及び体幹インピーダンス測定手段を構成する。更に、記憶部１５４、マイクロコンピュータ１５１及び電力供給部１５２にて体組成情報演算手段、肺活量演算手段及び内臓脂肪蓄積情報演算手段を構成する。
【手続補正１０】
【補正対象書類名】明細書
【補正対象項目名】０１４７
【補正方法】変更
【補正の内容】
【０１４７】
続いて、息量測定手段において息量の測定が可能な状態となるとともに、表示部１５５及び音声部１５６において、予めＲＯＭに記憶している呼吸誘導情報（公知のスパイロ検査のしかたと同様であって、「手順１：鼻をクリップでつまみ、マウスピース１６１をくわえてください。」→「手順２：数回普通に呼吸をしてください。」→「手順３：音の発生のタイミングに合わせて最大限にすえるだけたくさんの息を吸い込んでください。」→「手順４：音の発生のタイミングに合わせてできるだけ速いスピードで吸った息を吐ききってください。」の表示、及び、手順段階毎に"ビッ"の音）を出力する。ここで、被測定者により測定動作が行われると息量測定手段において息量を測定する（図８のスパイログラム図に示すようにスパイログラム（呼吸曲線）Ｚをサンプリングする。ここで、Ｗ１は上記の手順２の際にサンプリングした区間、Ｗ２は上記の手順３の際にサンプリングした区間、Ｗ３は上記の手順４の際にサンプリングした区間を示す。）（ステップＥ８）。
【手続補正１１】
【補正対象書類名】明細書
【補正対象項目名】０１４８
【補正方法】変更
【補正の内容】
【０１４８】
続いて、マイクロコンピュータ１５１において、測定状況の良否を判定する。より具体的には、呼吸誘導情報に準じて測定が正常に行われたか否かを判定する（ステップＥ９）。
【手続補正１２】
【補正対象書類名】明細書
【補正対象項目名】０２１７
【補正方法】変更
【補正の内容】
【０２１７】
続いて、マイクロコンピュータ１５１において、四肢インピーダンス（上肢部インピーダンス、下肢部インピーダンス）測定のタイミング（サンプリング周期（例えば、０.５秒）ポイント）であるか否かを判定する（ステップＫ１３）。
【手続補正１３】
【補正対象書類名】明細書
【補正対象項目名】０２２９
【補正方法】変更
【補正の内容】
【０２２９】
実施例４としての内臓脂肪蓄積情報推定装置は、電力供給部２０２、操作部２０３、切替器２２２、２２５、差動増幅器２２６、帯域通過フィルター（ＢＰＦ：Band Pass Filter）２２７、電流供給器２２３、増幅器２２８、２３２、Ａ／Ｄ変換器２２９、２３３、記憶部２０４、表示部２０５、音声部２０６、印字部２０７及びマイクロコンピュータ２０１を本体２４５に、また、通電用電極２２１ｃ、２２１ｄ、測定用電極２２４ｃ、２２４ｄ及び重量センサー２３１を台体（基台２４２ａ及び載せ台２４２ｂ）２４２に、更に、通電用電極２２１ａ、２２１ｂ及び測定用電極２２４ａ、２２４ｂを把持体２４４ａ、２４４ｂに備え、本体２４５と台体２４２とを結合し、また、本体２４５と把持体２４４との間を接続コード２４３ａ、２４３ｂによって接続する。より具体的には、表示部２０５及び操作部２０３は、一体を成して本体２４５の上部に配設し、通電用電極２２１ａ及び測定用電極２２４ａは、把持体２４４ａに配設し、通電用電極２２１ｂ及び測定用電極２２４ｂは、把持体２４４ｂに配設し、通電用電極２２１ｃ、２２１ｄ及び測定用電極２２４ｃ、２２４ｄは、載せ台２４２ｂの外面に配設し、重量センサー２３１は、台体２４２の内部に配設し、印字部２０７は、本体２４５の側部に配設し、その他の構成各部は、本体２４５の内部に配設する。
【手続補正１４】
【補正対象書類名】明細書
【補正対象項目名】０２４１
【補正方法】変更
【補正の内容】
【０２４１】
なお、操作部２０３、重量センサー２３１、増幅器２３２、Ａ／Ｄ変換器２３３、記憶部２０４、マイクロコンピュータ２０１及び電力供給部２０２にて身体特定化情報取得手段を構成する。また、通電用電極２２１、測定用電極２２４、差動増幅器２２６、帯域通過フィルター２２７、電流供給器２２３、増幅器２２８、Ａ／Ｄ変換器２２９、記憶部２０４、マイクロコンピュータ２０１及び電力供給部２０２にて四肢インピーダンス測定手段、体幹インピーダンス測定手段及び最大呼吸時体幹インピーダンス変化量測定手段を構成する。更に、マイクロコンピュータ２０１及び電力供給部２０２にて体組成情報演算手段、肺活量演算手段及び内臓脂肪蓄積情報演算手段を構成する。